(57)【要約】      （修正有）【課題】音声波形から装身具の装着部分の輪郭を形成するための波形の加工ができる装身具造形システム等を提供する。【解決手段】装身具造形システムは、装身具を造形する装身具造形システムであって、ユーザが発する音声情報を取得する取得部２１１と、音声情報が示す音声波形を、当該音声波形の振幅に所定の幅を持たせるように加工する加工部２１２と、加工部に加工された音声波形に基づいて、装身具の装着部分の少なくとも一部の輪郭を造形し、装身具デザインを示す装身具デザインデータを生成する造形部２１３と、装身具デザインデータを表示する表示部３４１と、を備える。【選択図】図２
2019076257.tif 000002
【特許請求の範囲】
【請求項１】
装身具を造形する装身具造形システムであって、  ユーザが発する音声情報を取得する取得部と、  前記音声情報が示す音声波形を、該音声波形の振幅に所定の幅を持たせるように加工する加工部と、  前記加工部に加工された音声波形に基づいて、前記装身具の装着部分の少なくとも一部の輪郭を造形し、装身具デザインを示す装身具デザインデータを生成する造形部と、  前記装身具デザインデータを表示する表示部と、を備える装身具造形システム。
【請求項２】
前記加工部は、前記音声波形を示す座標点を、所定の基準値以上であれば上側制御点と判別し、前記基準値より小さければ下側制御点と判別して、前記上側制御点には所定の振幅値を加算し、下側の制御点には前記所定の振幅値を減算することで、前記音声波形の振幅に所定の幅をもたせるように前記音声波形を加工すること、を特徴とする請求項１に記載の装身具造形システム。
【請求項３】
前記加工部は、前記加減算された上側制御点及び下側制御点それぞれにおいて、所定の間隔ごとに曲線制御点を抽出し、該抽出された曲線制御点に基づいて、波形が滑らかな曲線となるよう前記音声波形をさらに加工することを特徴とする請求項２に記載の装身具造形システム。
【請求項４】
前記装身具デザインデータごとに識別情報を付与する識別部と、  前記ユーザからの前記識別情報の入力を受け付ける入力部と、  前記入力を受け付けた識別情報に基づいて、前記音声情報の音声を出力する音声出力部と、を備えること、を特徴とする請求項１乃至３のいずれか１項に記載の装身具造形システム。
【請求項５】
前記取得部は、前記音声情報に付帯する位置情報を取得し、  前記造形部は、前記位置情報を前記装身具デザインデータに付与し、前記装身具デザインの一部に前記位置情報が印字されるよう造形すること、を特徴とする請求項４に記載の装身具造形システム。
【請求項６】
前記取得部は、前記位置情報に関する風景画像データを取得し、  前記表示部は、前記入力部が受け付けた識別情報に基づいて、前記風景画像データが示す風景画像を前記音声情報の出力に合わせて表示すること、を特徴とする請求項５に記載の装身具造形システム。
【請求項７】
前記加工部は、前記位置情報に基づいて、加工された音声波形を補正することを特徴とする請求項５又は６に記載の装身具造形システム。
【請求項８】
前記取得部は、前記音声情報に付帯する日時情報を取得し、  前記造形部は、前記日時情報を前記装身具デザインデータに付与し、前記装身具デザインの一部に前記日時情報が印字されるよう造形すること、を特徴とする請求項１乃至７のいずれか１項に記載の装身具造形システム。
【請求項９】
前記加工部は、前記日時情報に基づいて、前記音声波形を補正すること、を特徴とする請求項８に記載の装身具造形システム。
【請求項１０】
前記音声情報が示す音声のスペクトルを解析する音声解析部と、  前記造形部は、解析された音声のスペクトルによるスペクトログラムが示す特徴に応じて、装飾具デザインの色合いを特定すること、を特徴とする請求項１乃至９のいずれか１項に記載の装身具造形システム。
【請求項１１】
前記入力部は、前記音声波形を形成する曲線の曲がり度合い、装身具のサイズ、材質のうち少なくともいずれか一つを指定する入力を受け付け、  前記造形部は、前記受け付けた指定入力に基づいて、前記装身具デザインの輪郭又は色合いを変更し、  前記表示部は、前記変更された装身具デザインを、所定数まとめて表示すること、を特徴とする請求項１乃至１０のいずれか１項に記載の装身具造形システム。
【請求項１２】
装身具を造形する装身具造形プログラムであって、  コンピュータに、  ユーザが発する音声情報を取得する取得機能と、  前記音声情報が示す音声波形を、該音声波形の振幅に所定の幅をもたせるように加工する波形加工機能と、  前記加工部に加工された音声波形に基づいて、前記装身具の装着部分の少なくとも一部の輪郭を造形し、装身具デザインを示す装身具デザインデータを生成する造形機能と、  前記装身具デザインデータを表示する表示機能と、を備える装身具造形プログラム。
【請求項１３】
装身具を造形する装身具造形方法であって、  ユーザが発する音声情報を取得し、  前記音声情報が示す音声波形を、該音声波形の振幅に所定の幅をもたせるように加工し、  前記加工された音声波形に基づいて、前記装身具の装着部分の少なくとも一部の輪郭を造形し、装身具デザインを示す装身具デザインデータを生成し、  前記装身具デザインデータを表示する装身具造形方法。 
【発明の詳細な説明】
【技術分野】
【０００１】
本発明は、音声波形から装身具の装着部分の輪郭を形成するよう波形の加工を行う装身具造形システム、装身具造形プログラム及び装身具造形方法に関する。
【背景技術】
【０００２】
従来、好きな声やメッセージをアップロードして、その音声波形をアクセサリー等の装身具のデザインとして、３次元描画ツールや３次元造形装置を用いて製造し、販売するサービスが存在する。  
【０００３】
近年では、装身具の購入希望者がメッセージを発した際の音声情報から音声波形を取得して、当該波形を用いて装身具の一部を、３次元描画ツールや３次元造形装置を用いてデザインするサービスが提供されている（例えば、非特許文献１）。  
【０００４】
また、従来技術として、特許文献１で開示されているように、装身具の購入者が選択した図案化されたアルファベットの文字を入力すると、当該図案化されたアルファベットの文字が挿入された装身具用石座が立体的に表示される装身具用石座設計システムが開示されている。装身具用石座設計システムは、イニシャルといった意味合いを持たせつつ、立体的な美的印象を与えることができるよう、アルファベットの文字に装飾性を持たせて自動で装身具用石座が設計することができるため、購入者はあらかじめ、完成した石座を立体的に見ることができる。
【先行技術文献】
【特許文献】
【０００５】
【特許文献１】特開２０１１−１９５６７号公報
【非特許文献】
【０００６】
【非特許文献１】“好きな声やメッセージをアップロードして「波形」をアクセサリーに出力するサービス”、［ｏｎｌｉｎｅ］、２０１７年７月２７日、［２０１７年７月２７日検索］、インターネット、＜ＵＲＬ：http://gigazine.net/news/20141222-soundwave-accessories/＞
【発明の概要】
【発明が解決しようとする課題】
【０００７】
ここで、装身具にデザインする音声波形に立体的、かつ、美的印象を持たせるように、音声波形で指輪やブレスレットのアーム部分の輪郭が立体的に形成された装身具を形作ろうとしても、（１）例えば、指輪やブレスレット等においてリング状にして所定の強度を持たせるためには、取得した音声波形そのままでは、アーム部分（装着部分）を形成できない（２）波形が先細っていたり、小刻みな形であったりと後の貴金属加工等に耐えられる造形が自動でできないという問題があった。  
【０００８】
そこで、本発明は、上記のような課題に鑑み、ユーザが発する音声情報が示す音声波形を用いて装着部分の輪郭を造形する際に、装身具の実際の製造における金属加工に耐え、装身具の実際の使用に耐えられるように装身具デザインを自動で造形することができる、装身具造形システム、装身具造形プログラム及び装身具造形方法を提供することである。
【課題を解決するための手段】
【０００９】
本発明に係る装身具造形システムは、装身具を造形する装身具造形システムであって、ユーザが発する音声情報を取得する取得部と、音声情報が示す音声波形を、当該音声波形の振幅に所定の幅を持たせるように加工する加工部と、加工部に加工された音声波形に基づいて、装身具の装着部分の少なくとも一部の輪郭を造形し、装身具デザインを示す装身具デザインデータを生成する造形部と、装身具デザインデータを表示する表示部と、を備える。  
【００１０】
本発明に係る装身具造形プログラムは、装身具を造形する装身具造形プログラムであって、コンピュータに、ユーザが発する音声情報を取得する取得機能と、前記音声情報が示す音声波形を、当該音声波形の振幅に所定の幅をもたせるように加工する波形加工機能と、前記加工部に加工された音声波形に基づいて、前記装身具の装着部分の少なくとも一部の輪郭を造形し、装身具デザインを示す装身具デザインデータを生成する造形機能と、前記装身具デザインデータを表示する表示機能と、を備える。  
【００１１】
本発明に係る装身具造形方法は、装身具を造形する装身具造形方法であって、  ユーザが発する音声情報を取得し、音声情報が示す音声波形を、当該音声波形の振幅に所定の幅をもたせるように加工し、加工された音声波形に基づいて、装身具の装着部分の少なくとも一部の輪郭を造形し、装身具デザインを示す装身具デザインデータを生成し、装身具デザインデータを表示する。
【発明の効果】
【００１２】
本発明によれば、音声波形を用いて装着部分のデザインを形成することが可能となり、立体的かつ美的印象を与えるデザインが可能となる。また、装着部分のデザインに所定の幅をもたせて滑らかな曲線を描くことで貴金属の加工のし易さを向上し、耐久性を得ることが可能な装身具造形システム、装身具造形プログラム及び装身具造形方法を提供できる。
【図面の簡単な説明】
【００１３】
【図１】本発明の一実施形態に係る装身具造形システムのシステム構成例を示す図である。
【図２】本発明の一実施形態に係る装身具造形システムの機能構成例を示す図である。
【図３】本発明の一実施形態に係る装身具造形システムの概要を示す模式図である。
【図４】本発明の一実施形態に係る装身具造形システムの音声波形の加工の様子を示す模式図である。
【図５】本発明の一実施形態に係る装身具造形システムの動作例を示す図である。
【図６】本発明の一実施形態に係る装身具造形システムの動作例を示す図である。
【発明を実施するための形態】
【００１４】
＜一実施形態＞  以下、図面を参照して本発明の一実施形態について説明する。  
【００１５】
（システム構成）  図１は、本発明の一実施形態における装身具造形システムのシステム構成例を示すシステム図である。  
【００１６】
図１に示すように、装身具造形システム１００は、サーバ装置２００、端末装置３００、ネットワーク４００を含む。  
【００１７】
サーバ装置２００は、ネットワーク４００を介して、端末装置３００と接続される。なお、図１において、説明を簡単にするために、サーバ装置２００は３台、端末装置３００は２台ずつ示してあるが、これ以下でもこれ以上存在してもよいことは言うまでもない。  
【００１８】
サーバ装置２００は、データの取得、生成、更新等の演算処理及び加工処理のための処理能力のあるコンピュータ機器であればどの様な電子機器でもよく、例えば、パーソナルコンピュータ、サーバ、メインフレーム、その他電子機器であってもよい。  
【００１９】
サーバ装置２００は、具体的には、プロセッサによって装置全体が制御されている処理装置であってもよい。当該プロセッサには、バスを介して、ＲＡＭ、ＲＯＭ及びハードディスクドライブ等の記憶装置（記憶部２３０）、入出力インタフェース、通信インタフェース（ＮＩＣ）等が接続されて構成されている。当該記憶装置は、制御部２１０における各種処理に必要となる各種データやプログラムを記憶する機能を有している。当該入出力インタフェースには、ディスプレイ、キーボード、マウス、外付け記憶媒体等の入出力装置が接続されている。当該通信インタフェースには、ネットワーク４００が接続されている。  
【００２０】
また、サーバ装置２００は、装身具造形システム１００専用のソフトウェアやハードウェア、ＯＳ等を設けずに、クラウドサーバによるＳａａＳ（Software as a Service）、Ｐａａｓ（Platform as a Service）、ＩａａＳ（Infrastructure as a Service）を適宜用いてもよい。  
【００２１】
端末装置３００は、装身具造形システムを利用する装身具の購入希望者であるユーザ（以降、「購入ユーザ」という）が保有する携帯端末等の電子機器であればよく、例えば、携帯端末、タブレット端末、スマートフォン、ウェアラブル端末、パーソナルコンピュータ等、その他端末機器であってもよい。  
【００２２】
ネットワーク４００は、例えば、ＩＰネットワークである。ネットワーク４００は、ＩＰネットワークであれば、無線であっても有線であっても無線と有線の組み合わせであってもよく、例えば、無線による通信であれば、端末装置３００は、無線ＬＡＮアクセスポイント（不図示）にアクセスし、ＬＡＮやＷＡＮを介してサーバ装置２００と通信してもよい。また、ネットワーク４００は、これらの例に限られず、例えば、公衆交換電話網やブルートゥース（Bluetooth（登録商標））、光回線、ＡＤＳＬ回線、衛星通信網などであってもよい。  
【００２３】
ここで、図３を用いて、本発明の一実施形態に係る装身具造形システム１００の概要について説明する。図３は、本発明の一実施形態に係る装身具造形システム１００の概要を示す模式図である。  
【００２４】
装身具造形システム１００は、図３に示すように、一例として、「あなたのメッセージを録音」といったテキスト表示と併せて、録音実行ボタン（マイクアイコンが表示された円形の操作ボタン）を表示し、当該録音実行ボタンが押下し、（１）購入ユーザが発した「ありがとう」という音声を、装身具造形システム１００が搭載されている端末装置３００に実装されているマイクを用いて入力すると、（２）装身具造形システム１００は、当該購入ユーザが発する音声の音声情報を取得する。  
【００２５】
また、装身具造形システム１００は、図３に示すように、（３）当該取得された音声情報が示す音声波形を、当該音声波形の振幅に所定の幅を持たせるように加工し、加工された音声波形に基づいて装身具（図３の例では、指輪）の装着部分（図３の例では、指輪のアーム部分の一部）の輪郭を造形し、装身具デザインを示す装身具デザインデータを生成する。さらに、装身具造形システム１００は、図３に示すように、装身具の装着部分の輪郭を形成する音声波形を、滑らかな曲線となるようさらに加工してもよい。  
【００２６】
ここで「音声波形」とは、音声の信号データを表す、（ア）時間領域の波形データ（横軸（ｘ軸）が時間、縦軸（ｙ軸）が振幅（音の大きさ））、（イ）周波数領域の波形データ（横軸（ｘ軸）が周波数、縦軸（ｙ軸）が音圧レベル（ｄＢ））  
【００２７】
ここで「所定の幅」とは、音声波形の縦軸に持たせるために定めた幅をいう。所定の幅は、言い換えれば、音声波形を装身具の少なくとも一部に造形するにあたって、装身具の装着や製造の際に必要となる幅をいう。所定の幅の具体的な値は、音声波形の座標点の縦軸の数値、装身具の装着部分の材質に応じた耐久性、装身具のデザインと、装身具のサイズを鑑みて適宜設定すればよい。音声波形の振幅に、このような所定の幅を持たせるように加工することで、耐久性や加工容易性のある装身具デザインを実現できる。  
【００２８】
ここで「装身具デザインデータ」とは、装身具デザインを示すデータである。装身具デザインデータは、具体的には、装身具の形状、構造を表す２次元又は３次元の描画データである。また、装身具の材質（例えば、貴金属であればプラチナ、金（１８金、ピンクゴールド）、銀、真鍮等、レザー）、サイズ（例えば、指輪であれば「号数」、ネックレスであれば「チェーンの長さ」等）、装身具に留める宝石の種類、大きさ又は重さ等を含んでもよい。  
【００２９】
装身具造形システム１００は、上記のような構成とすることで、購入ユーザの音声メッセージによる音声波形を用いて装身部分のデザインを形成することが可能となり、立体的かつ美的印象を与える装身具デザインが可能となる。また、装身具造形システム１００は、音声波形そのままの形状だと波形を表す線が細かったり、また、連続した尖ったきざみ目のようになったりしている、装身具の輪郭として加工するのが非常に困難なところ、波形を滑らかな曲線で描き、また、波形に所定の幅をもたせてることで、特に、材質が貴金属、レザー等であった場合の加工のし易さを向上し、耐久性を得ることが可能となる装身具造形システムを提供することができる。  
【００３０】
また、装身具デザインデータは、デザインの元となった音声情報、音声情報に付帯する位置情報、日時情報、位置情報に対応する風景画像データ等を含んで構成してもよい。このような構成とすることで、位置情報に基づく音声メッセージに関連する場所や、日時情報に基づく季節又はイベント等の情報により、よりメッセージ性を高めた演出を伴って贈り物としての装身具を贈ることができる。  
【００３１】
また、装身具造形システム１００は、図３に示すように、（４）−１．端末装置３００にスピーカーで音声情報を再生し、（４）−２．生成された装身具デザインデータを端末装置３００の画面に表示する。  
【００３２】
装身具造形システム１００を用いた装身具の製造・販売サービスの一例として、図３に示すように、購入ユーザが、端末装置３００に表示された装身具デザインを確認して、（５）当該デザインの装身具を注文すると、当該デザインをもって装身具が製造されて、注文した購入ユーザに提供されてもよい。また、その提供の際に、装身具造形システム１００が装身具デザインデータに付与した識別情報を併せて注文した購入ユーザに提供してもよい。  
【００３３】
ここで「識別情報」とは、複数の装身具デザインデータを識別するための情報（ＩＤ情報）である。識別情報は、具体的には、装身具デザインデータを一意に識別できる識別子であればどの様な情報でもよく、アルファベットと数字を組み合わせた文字列やＱＲコードなどを用いることが考えられる。図３の例では、アルファベットと数字を組み合わせた文字列として「R0001」とする。  
【００３４】
装身具造形システム１００を用いた装身具の製造・販売サービスの一例として、図３に示すように、装身具デザインデータに付与された識別情報（「R0001」）も併せて注文した購入ユーザに提供され、当該購入ユーザは、装身具の贈り先のユーザに提供された装身具と併せて当該識別情報もメッセージと併せて贈ってもよい。  
【００３５】
図３に示すように、（６）装身具の贈り先のユーザが、当該識別情報を、装身具造形システム１００が搭載されている端末装置３００に入力すると、装身具造形システム１００は当該入力を受け付けて、記憶部２３０等に記憶されている当該識別情報に対応する装身具デザインデータを検索して取得し、（７）−１．端末装置３００のスピーカーから取得された装身具デザインデータに含まれる音声情報を再生し、（７）−２．当該音声情報から音声解析された音声の内容（「ありがとう」）を表示してもよい。このような構成とすることで、装身具造形システム１００によれば、メッセージ性のある装身具を提供するだけでなく、当該装身具と併せて音声メッセージの音声再生やテキスト表示で再現させることで、よりメッセージ性の高い付加サービスを提供できる装身具造形システムを実現することができる。  
【００３６】
また、装身具造形システム１００は、図３に示すように、（１）音声入力した際に音声情報に付帯される位置情報（装身具造形システム１００がＧＰＳ（Global Positioning System）機能を用いて位置情報を取得してもよい）を取得してもよい。例えば、図３の例では、桜の名所で音声入力した例とすると、当該桜の名所の位置を示す位置情報となる。さらに、装身具造形システム１００は、図３に示すように、（１）音声入力した際に音声情報に付帯される日時情報を取得してもよい。例えば、図３の例では、桜の開花時期や一般的に「春」と区分とされる３月中旬〜４月下旬までの日付を示す日時情報の例とすると、当該「春」を示す日時情報となる。  
【００３７】
装身具造形システム１００は、これらの取得した位置情報や日時情報に基づいて、例えば、装身具デザインの一部に位置情報が印字されるように造形したり、日時情報が印字されるように造形したりしてもよい。このような構成とすることで、よりメッセージ性の高い装身具をデザインすることが可能となる。  
【００３８】
また、装身具造形システム１００は、これらの取得した位置情報や日時情報に基づいて、位置情報に関する風景画像データを取得して、当該位置情報に対応する音声情報の出力に合わせて、当該風景画像データが示す風景画像を表示してもよい。  
【００３９】
装身具造形システム１００は、具体的には、図３に示すように、桜の名所の位置を示す位置情報に基づいて、当該名所の風景画像データを、（ア）インターネット等に公開されている該当する風景画像データを検索することで、（イ）装身具造形システム１００に予め記憶される該当する風景画像データを検索することで取得し、（７）−１．で音声再生の際に合わせて（７）−２．取得した風景画像データが示す風景画像を表示してもよい。このような構成とすることで、装身具造形システム１００によれば、装身具にさらに音声メッセージに関する場所のメッセージ性を付加するサービスを提供することができる。  
【００４０】
（機能構成）  図２は、本発明の一実施形態における装身具造形システム１００の機能構成例を示す図である。図２に示すように、装身具造形システム１００は、サーバ装置２００と、端末装置３００とを含む。  
【００４１】
具体的には、装身具造形システム１００は、装身具を造形する装身具造形システムであって、ユーザが発する音声情報を取得する取得部と、音声情報が示す音声波形を、当該音声波形の振幅に所定の幅を持たせるように加工する加工部と、加工部に加工された音声波形に基づいて、装身具の装着部分の少なくとも一部の輪郭を造形し、装身具デザインを示す装身具デザインデータを生成する造形部と、装身具デザインデータを表示する表示部と、を備えるものである。  
【００４２】
ここで「音声情報」とは、ユーザが装身具造形システム１００に入力した音声を示す情報である。音声情報は、具体的には、音声波形を示す音声の信号データであり、音声の高さ、強度、音圧を表す情報である。音声情報の音声データを記録するためのファイル形式は、ＭＰ３（MPEG Audio Layer-3）、ＷＡＶ（Waveform Audio File Format）、ＡＡＣ（Adavanced Audio Coding）等、適宜選択すればよい。  
【００４３】
装身具造形システム１００は、上記のような構成とすることで、音声波形を用いて装着部分の少なくとも一部のデザインを形成することが可能となり、立体的かつ美的印象を与えるデザインが可能となる。また、所定の幅をもたせて滑らかな曲線を描くことで貴金属の加工のし易さを向上し、装身具の耐久性を向上させることができる。  
【００４４】
（サーバ装置２００）  サーバ装置２００は、図２に示すように、制御部２１０、通信部２２０、記憶部２３０を含んで構成される。  
【００４５】
制御部２１０は、取得部２１１、加工部２１２、造形部２１３を備え、サーバ装置２００の各機能部を制御する機能を有するプロセッサである。また、制御部２１０は、音声解析部２１４、識別部２１５を備えてもよい。  
【００４６】
制御部２１０は、一例として、端末装置３００又はサーバ装置２００の各機能部からの処理要求に基づいて、記憶部２３０に記憶されている音声情報等の各種情報を参照、演算、更新又は削除処理をし、当該処理結果を端末装置３００において出力するための出力情報を生成してもよい。この場合、生成した出力情報は、通信部２２０及びネットワーク４００を介して端末装置３００に送信されてもよいし、サーバ装置２００に入出力インタフェースを介して接続された出力装置（不図示）に出力してもよい。  
【００４７】
ここで「出力情報」とは、端末装置３００の出力部３４０で出力される表示情報及び音声情報をいう。  
【００４８】
取得部２１１は、各種情報を取得する機能を有する。取得部２１１は、具体的には、ユーザが発する音声情報を取得する。取得部２１１は、より具体的には、入力部３５０が入力を受け付けたユーザの音声を直接取得してもよいし、記憶部２３０に記憶された音声情報を取得してもよい。  
【００４９】
また、取得部２１１は、音声情報に付帯する位置情報又は日時情報を取得してもよい。ここで「日時情報」とは、日時（特定の日付、時刻）を示す情報である。日時情報は、具体的には、ユーザが音声を端末装置３００に入力して録音した日時を示す情報であってもよい。  
【００５０】
さらに、取得部２１１は、取得した位置情報に関する風景画像データを取得してもよい。取得部２１１は、具体的には、風景画像データを、（１）インターネット等に公開されている該当する風景画像データを検索することで、（２）装身具造形システム１００に予め記憶される該当する風景画像データを検索することで、取得してもよい。このような構成とすることで、装身具造形システム１００によれば、装身具に音声メッセージに関する場所のメッセージ性を付加するサービスを提供することができる。  
【００５１】
加工部２１２は、各種データを加工する機能を有する。加工部２１２は、具体的には、音声情報が示す音声波形を、当該音声波形の振幅に所定の幅を持たせるように加工する。このような構成とすることで、装身具の装着部分に所定の幅をもたせること貴金属やレザー等の材質における加工のし易さを向上し、耐久性を得ることが可能となる。  
【００５２】
加工部２１２は、より具体的には、音声波形を示す座標点を、所定の基準値以上であれば上側制御点と判別し、所定の基準値より小さければ下側制御点と判別して、上側制御点には所定の振幅値を加算し、下側の制御点には所定の振幅値を減算することで、音声波形の振幅に所定の幅をもたせるように音声波形を加工してもよい。このような構成とすることで、自動的に、かつ、統一して、音声波形により輪郭を造形した装身具を装着するための部分を形成することができる。  
【００５３】
ここで「所定の基準値」とは、音声波形の縦軸の座標点（例えば、音声波形の振幅）に所定の幅を持たせるための基準線を決定するための値である。このように所定の幅をもたせることによって、装身具の輪郭を立体的に音声波形で形成することを実現しつつ、装着部分に一定の幅をもたせ、耐久性を得ることができる。所定の基準値の値は、例えば、音声波形グラフの横軸との交点、すなわち、時間をｔとし、ｔにおける音声波形の振幅値Ｐ（ｔ）とした場合、所定の基準値はＰ（ｔ）＝０とすればよく、また、装身具のデザインに応じて適宜変更してもよい。  
【００５４】
ここで「所定の振幅値」とは、音声波形の縦軸の座標点に所定の幅をもたせるための振幅値をいう。所定の振幅値の具体的な値は、所定の幅の値と、音声波形の座標点の縦軸の数値を鑑みて適宜設定すればよい。  
【００５５】
ここで「上側制御点」及び「下側制御点」とは、音声波形の振幅の値を一定時間間隔でサンプリング、かつ、離散的に取得した座標点である。上側制御点及び下側制御点は、音声波形のグラフを構成するために制御する点である。上側制御点と下側制御点の違いは、振幅の基準の座標軸（音声波形グラフの横軸の線）より上側の座標点か下
側の座標点か、言い換えればプラスの値かマイナスの値かの違いである。  
【００５６】
ここで、加工部２１２の音声波形の加工の一例について、図４（ａ）及び（ｂ）を用いて説明する。図４は、装身具造形システム１００の音声波形の加工の様子を示す模式図である。  
【００５７】
図４に示すように、加工部２１２は、例えば、図４（ａ）に示されている音声波形（縦軸が振幅（音の大きさ）（Ｐ（ｔ）、横軸が時間（ｔ））について、当該音声波形を示す座標点を、Ｐ（ｔ）≧０であれば上側制御点と、Ｐ（ｔ）＜０であれば下側制御点と判別して、上側制御点には所定の振幅値を加算し、下側の制御点には所定の振幅値を減算することで、音声波形の振幅に所定の幅をもたせるように音声波形を、図４（ｂ）のような波形に加工してもよい。このような構成とすることで、自動的に、かつ、統一して、音声波形により輪郭を造形した装身具を装着するための部分を形成することができる。  
【００５８】
さらに、加工部２１２は、より具体的には、加減算された上側制御点及び下側制御点それぞれにおいて、所定の間隔ごとに曲線制御点を抽出し、当該抽出された曲線制御点に基づいて、波形が滑らかな曲線となるよう音声波形をさらに加工してもよい。加工部２１２は、例えば、スプライン曲線（spline curve）、Ｂ−スプライン曲線（B-spline curve）、ベジェ曲線（Bezier curve）等の曲線を描画する手法を用いて滑らかな曲線としてもよい。また、加工部２１２は、抽出した曲線制御点から、最小二乗法等を用いて近似曲線得ることで、滑らかな曲線としてもよい。  
【００５９】
ここで、また、加工部２１２の音声波形の加工の一例について、図４（ｂ）及び（ｃ）を用いて説明する。図４に示すように、加工部２１２は、例えば、図（ｂ）に示されている音声波形について、加減算された上側制御点及び下側制御点それぞれにおいて、所定の間隔ごとに曲線制御点を抽出し、当該抽出された曲線制御点に基づいて、波形が滑らかな曲線となるよう音声波形を図４（ｃ）のような波形にさらに加工し、装身具の装着部分の少なくとも一部の輪郭を形成してもよい。このような構成とすることで、音声波形そのままの形状だと波形を表す線が連続した尖ったきざみ目のようになっているため装身具の輪郭として加工するのが非常に困難なところ、滑らかな曲線を描くことで特に、材質が貴金属、レザー等であった場合の加工のし易さを向上し、耐久性を得ることが可能となる装身具造形システムを提供することができる。  
【００６０】
また、加工部２１２は、取得部２１１に取得された位置情報に基づいて、加工された音声波形を補正してもよい。加工部２１２は、例えば、位置情報に示された場所（例えば、国や地域）に応じて、音声波形を、きつめ、柔らかめな曲線を描くように補正してもよい。加工部２１２は、具体的には、加工された音声波形の制御点（上側制御点、下側制御点、曲線制御点等）に対して、取得部２１１が取得した位置情報に基づく係数を、演算処理（例えば、加減算、乗除算処理など）をすることにより、音声波形を補正してもよい。加工部２１２によれば、このような構成とすることで、音声メッセージが込められた（入力された）場所や地域性を自動的に装身具に表現することができ、よりメッセージ性の高い装身具を効率的に造形することができる。  
【００６１】
また、加工部２１２は、取得部２１１に取得された日時情報に基づいて、加工された音声波形を補正してもよい。加工部２１２は、例えば、日時情報に示された日付、時間（例えば、春夏秋冬、朝昼夜）に応じて、音声波形を、きつめ、柔らかめな曲線を描くように補正してもよい。加工部２１２は、具体的には、加工された音声波形の制御点（上側制御点、下側制御点、曲線制御点等）に対して、取得部２１１が取得した日時情報に基づく係数を、演算処理（例えば、加減算、乗除算処理など）をすることにより、音声波形を補正してもよい。加工部２１２によれば、このような構成とすることで、音声メッセージが込められた（入力された）季節性や時間帯を自動的に装身具に表現することができ、よりメッセージ性の高い装身具を効率的に造形することができる。  
【００６２】
造形部２１３は、装身具のデザインを造形する機能を有する。造形部２１３は、具体的には、加工部２１２に加工された音声波形に基づいて、装身具の装着部分の少なくとも一部の輪郭を造形し、装身具デザインを示す装身具デザインデータを生成する。  
【００６３】
また、造形部２１３は、装身具デザインの一部に位置情報が印字されるよう造形してもよい。造形部２１３は、具体的には、取得部２１１に取得された日時情報を前記装身具デザインデータに付与し、装身具が指輪や腕輪だった場合にはアーム部分の裏側の部分に、当該位置情報に示された緯度経度、または場所名を印字するよう造形してもよい。造形部２１３によれば、このような構成とすることで、音声メッセージが込められた（入力された）場所を自動的に装身具に刻み込むことができ、よりメッセージ性の高い装身具を効率的に造形することができる。  
【００６４】
また、造形部２１３は、装身具デザインの一部に日時情報が印字されるよう造形してもよい。造形部２１３は、具体的には、取得部２１１に取得された日時情報を前記装身具デザインデータに付与し、装身具が指輪や腕輪だった場合にはアーム部分の裏側の部分に、当該日時情報に示された日付を印字するよう造形してもよい。造形部２１３によれば、このような構成とすることで、音声メッセージが込められた（入力された）日付を自動的に装身具に刻み込むことができ、よりメッセージ性の高い装身具を造形することができる。  
【００６５】
また、造形部２１３は、音声解析部２１４に解析された音声のスペクトルの時間遷移による音声のスペクトログラムが示す特徴に応じて、装飾具デザインの色合いを特定してもよい。音声解析部２１４は、例えば、音声のスペクトログラムが示す要素、例えば、音色、音の高さ、音の大きさ（周波数ごとの強度）に応じた色合いを予め設定し、造形部２１３は、音声情報に基づいて解析された音声のスペクトログラムによって（音声情報の周波数分析を時間的に連続して行い、色によって強さを表すことで、強さ、周波数、時間の３次元表示を実現することで）、音声波形の時間軸と当該音声のスペクトログラムの時間軸を合わせて、装身具デザインの色合いを特定してもよい。音声解析部２１４によれば、このような構成とすることで、音声を入力したユーザの音声の特徴に応じた色合いを装身具デザインに施すことができ、よりメッセージ性の高い装身具を構成することができる。  
【００６６】
また、造形部２１３は、入力部３５０が受け付けた指定入力に基づいて、装身具デザインの輪郭又は色合いを変更してもよい。造形部２１３は、具体的には、音声波形を形成する曲線の曲がり度合い（曲線のカーブ度合い（きつめ、柔らかめ等）、装身具のサイズの指定入力に応じて、装身具デザインの輪郭を形成したり、材質の指定入力に応じて、装身具デザインのテクスチャを設定、変更したりしてもよい。このような構成とすることで、ユーザの多種多様なリクエストに応じた装身具デザインを提供する装身具造形システムを実現できる。  
【００６７】
音声解析部２１４は、取得部２１１に取得された音声情報を解析する機能を有する。音声解析部２１４は、具体的には、音声情報が示す音声の周波数スペクトルを解析する。  
【００６８】
識別部２１５は、各種データに識別情報を付与する機能を有する。識別部２１５は、具体的には、装身具デザインデータごとに識別情報を付与する。  
【００６９】
また、識別部２１５は、入力情報に基づいて、各種データを識別する機能も有してもよい。識別部２１５は、例えば、入力部３５０から入力された入力情報のうち、ＱＲコード等の識別情報に基づいて、記憶部２３０に記憶される当該識別情報に対応する装身具デザインデータを識別してもよい。識別された装身具デザインデータは取得部２１１に取得され、端末装置３００に送信されて出力部３４０によって出力されてもよい。  
【００７０】
さらに、識別部２１５は、撮影部３６０等によって撮影された装身具の動画像に基づいて、対応する装身具デザインデータを識別してもよい。識別部２１５は、具体的には、画像認識技術を用いて、装身具の動画像の特徴量を抽出し、当該抽出された特徴量に基づいて、対応する装身具デザインデータを推定してもよい。当該特徴量の抽出、推定処理にあたっては、機械学習技術（例えば、ニューラルネットワーク等）を用いてもよい。  
【００７１】
通信部２２０は、制御部２１０の制御によって、ネットワーク４００を介して端末装置３００又は他のサーバ装置２００との通信を実行する機能を有する。当該通信は、有線、無線のいずれでもよく、また、互いの通信が実行できるのであれば、どのような通信プロトコルを用いてもよい。通信部２２０は、具体的には、端末装置３００へ出力情報を送信したり、端末装置３００から入力情報を受信したりしてもよい。  
【００７２】
ここで「入力情報」とは、端末装置３００やサーバ装置２００にＩ／Ｏインタフェースによって接続された端末装置（不図示）によって入力される情報である。入力情報は、具体的には、操作入力部３５１から指定入力された識別情報、音声入力部３５２から入力された音声情報、撮影部３６０が撮影した動画像情報をいう。  
【００７３】
記憶部２３０は、制御部２１０の制御によって、サーバ装置２００が演算及び加工処理する際に必要な各種プログラム、データ、パラメータ等を記憶する機能を有する。記憶部２３０は、具体的には、音声情報、位置情報、日時情報、装身具デザインデータ（識別情報含む）、風景画像データ等を記憶する。記憶部２３０は、例えば、ＲＯＭ及びＲＡＭで構成される主記憶装置、不揮発性メモリ等で構成される補助記憶装置、ＨＤＤ（Hard Disc Drive）、ＳＳＤ（Solid State Drive）、フラッシュメモリ等各種の記録媒体によって構成される。  
【００７４】
（端末装置３００）  端末装置３００は、図２に示すように、制御部３１０、通信部３２０、記憶部３３０、出力部３４０、入力部３５０、撮影部３６０を含んで構成される。  
【００７５】
制御部３１０は、サーバ装置２００の制御部２１０と同様に、取得部２１１、加工部２１２、造形部２１３を備えてもよく、サーバ装置２００の各機能部を制御する機能を有するプロセッサである。また、制御部３１０は、制御部２１０と同様に、音声解析部２１４、識別部２１５を備えてもよい。当該各機能部の機能は、制御部２１０と同様のため、説明を割愛する。  
【００７６】
通信部３２０は、制御部３１０の制御によって、ネットワーク４００を介してサーバ装置２００又は他の端末装置３００との通信を実行する機能を有する。当該通信は、有線、無線のいずれでもよく、また、互いの通信が実行できるのであれば、どのような通信プロトコルを用いてもよい。通信部３２０は、例えば、サーバ装置２００から出力情報等を受信したり、入力情報をサーバ装置２００に送信したりしてもよい。  
【００７７】
記憶部３３０は、制御部３１０の制御によって、端末装置３００が動作する際に必要な各種プログラム、データ、パラメータ等を記憶する機能を有する。記憶部３３０は、具体的には、音声情報、位置情報、日時情報、装身具デザインデータ（識別情報含む）、風景画像データ等を記憶する。記憶部３３０は、例えば、ＲＯＭ及びＲＡＭで構成される主記憶装置、不揮発性メモリ等で構成される補助記憶装置、ＨＤＤ、ＳＳＤ、フラッシュメモリ等各種の記録媒体によって構成される。  
【００７８】
出力部３４０は、表示部３４１、音声出力部３４２を備え、制御部３１０の制御によって、端末装置３００に各種情報を出力する機能を有する。出力部３４０は、例えば、造形部３１３に生成された装身具デザインデータを出力する。  
【００７９】
表示部３４１は、制御部３１０の制御によって、音声情報等の各種情報を表示する機能を有する。表示部３４１は、例えば、ＬＣＤ（Liquid Crystal Display）ディスプレイ、ＬＥＤ（Light Emitting Diode）ディスプレイ、ＯＬ
ＥＤ（Organic Light Emitting Diode）ディスプレイ等を用いればよい。表示部３４１は、制御部３１０の制御によって、サーバ装置２００からネットワーク４００を介して送信された出力情報等を表示する機能を有する。  
【００８０】
表示部３４１の表示画面は、例えば、ＨＴＭＬ（Hyper Text Markup Language）などのマークアップ言語や、ビットマップデータあるいは圧縮処理された画像データなど、端末装置３００で画面表示可能な一般的なデータ形式で生成されればよい。  
【００８１】
表示部３４１は、制御部３１０の制御によって、造形部３１３に生成された装身具デザインデータを表示する。表示部３４１は、例えば、図３の（４）−２．に示すように、加工された音声波形が一部に造形された装身具デザインを表示する。  
【００８２】
また、表示部３４１は、制御部３１０の制御によって、入力部３５０が受け付けた識別情報に基づいて、風景画像データが示す風景画像を音声情報の出力に合わせて表示してもよい。表示部３４１は、例えば、図３の（７）−２．に示すように、音声情報の出力に合わせて風景画像を表示してもよい。このような構成とすることで、装身具造形システム１００によれば、装身具にさらに音声メッセージに関する場所のメッセージ性を付加するサービスを提供することができる。  
【００８３】
表示部３４１は、制御部３１０の制御によって、変更された装身具デザインを、所定数まとめて表示してもよい。表示部３４１は、例えば、変更履歴として、装身具デザインの変更前（初回作成時）と変更後を表示してもよい。当該変更後の装身具デザインは１つ以上であれば、いくつあってもよく、「所定数」は、表示画面のサイズ、デザインや記憶部３３０等の記憶装置の容量等で適宜設定すればよい。このような構成とすることで、装身具デザインを検討するユーザが変更前後の装身具デザインを同時に見比べることができ、使い勝手の良い装身具造形システムを提供することができる。  
【００８４】
音声出力部３４２は、制御部３１０の制御によって、音声情報の音声を出力する機能を有する。音声出力部３４２は、例えば、図３の（７）−２．に示すように、音声情報を含んだ出力情報に基づいて、「ありがとう」といった音声波形のメッセージを音声出力してもよい。  
【００８５】
また、音声出力部３４２は、制御部３１０の制御によって、入力部３５０が入力を受け付けた識別情報に基づいて、音声情報の音声を出力してもよい。このような構成とすることで、装身具を贈られたユーザが当該識別情報を指定することによって、音声メッセージを再生でき、よりメッセージ性の高いサービスを提供することができる。  
【００８６】
入力部３５０は、操作入力部３５１、音声入力部３５２を備え、制御部３１０の制御によって、端末装置３００に各種情報を入力する機能を有する。入力部３５０は、例えば、ユーザからの識別情報の入力を受け付ける。  
【００８７】
入力部３５０は、制御部３１０の制御によって、音声波形を形成する曲線の曲がり度合い、装身具のサイズ、材質のうち少なくともいずれか一つを指定する入力を受け付けてもよい。  
【００８８】
操作入力部３５１は、制御部３１０の制御によって、ユーザからの操作入力を受け付ける機能を有する。操作入力部３５１は、具体的には、タッチパネル等のソフトキーあるいはハードキーにより実現される。  
【００８９】
音声入力部３５２は、制御部３１０の制御によって、ユーザからの音声を入力し受け付ける機能を有する。音声入力部３５２は、入力を受け付けた音声に基づいて、音声情報を生成し、記憶部３３０に記憶し、また、サーバ装置２００に通信部３２０及びネットワーク４００を介して送信する。音声入力部３５２は、具体的には、端末装置３００に取り付けられたマイク等により実現される。  
【００９０】
撮影部３６０は、制御部３１０の制御によって、端末装置３００に備えつけられたレンズから装身具等を撮影する機能を有する。撮影部３６０は、例えば、携帯端末のカメラであってもよい。  
【００９１】
（動作例）  本発明の一実施形態に係る装身具造形システム１００の動作の一例を、図５及び図６を用いて説明する。  
【００９２】
図５は、本発明の一実施形態に係る装身具造形システム１００の対象者の身体の向き等の検知から判定処理までの動作例を示すフローチャートである。  
【００９３】
取得部２１１は、ユーザが発する音声情報を取得する（ステップＳ１０）。取得部２１１は、取得した音声情報を加工部２１２に伝達する。なお、各機能部間の各種情報及び各種データの伝達にあたっては、情報そのものを送受信してもよいし、記憶部２３０等に記憶された情報の所在を送受信してもよい。  
【００９４】
加工部２１２は、伝達された音声情報に基づいて、当該音声情報が示す音声波形を、当該音声波形の振幅に所定の幅を持たせるように加工する（ステップＳ１１）。さらに、加工部２１２は、波形が滑らかな曲線となるよう音声波形を加工する（ステップＳ１２）。加工部２１２は、加工した音声波形を含む音声情報を造形部２１３に伝達する。  
【００９５】
造形部２１３は、伝達された音声情報に含まれる加工された音声波形に基づいて、装身具の装着部分の少なくとも一部の輪郭を造形する（ステップＳ１３）。また、造形部２１３は、造形した装身具の装着部分をもって、装身具デザインを示す装身具デザインデータを生成する（ステップＳ１４）。造形部２１３は、生成した装身具デザインデータを記憶部２３０に記憶し、また、通信部２２０及びネットワーク４００を介して端末装置３００に伝達する。  
【００９６】
端末装置３００は、制御部３１０の制御によって、通信部３２０を介して伝達された装身具デザインデータを、記憶部３３０に記憶し、表示部３４１で表示する（ステップＳ１５）。  
【００９７】
次に、図６は、本発明の一実施形態に係る装身具造形システム１００が実行する処理の一例を示すシーケンス図である。  
【００９８】
ユーザが音声を発して、装身具造形システム１００に対して音声を入力する（ステップＳ２１）。  
【００９９】
入力部３５０は、制御部３１０の制御によって、当該音声入力を受け付ける（ステップＳ２２）。入力部３５０は、制御部３１０の制御によって、入力を受け付けた音声に基づいて音声情報を生成する。  
【０１００】
取得部２１１は、入力部３５０から送信された音声情報を取得する（ステップＳ２３）。また、取得部２１１は、当該音声情報に付帯する位置情報を取得する（ステップＳ２４）。さらに、取得部２１１は、当該位置情報に関する風景画像データを取得する（ステップＳ２５）。また、取得部２１１は、当該音声情報に付帯する日時情報を取得する（ステップＳ２６）。  
【０１０１】
加工部２１２は、取得部２１１から送信された音声情報が示す音声波形を、当該音声波形の振幅に所定の幅を持たせるように加工する（ステップＳ２７）。加工部２１２は、さらに、波形が滑らかな曲線となるよう音声波形を加工する（ステップＳ２８）。  
【０１０２】
造形部２１２は、加工部２１２から送信された音声情報が示す音声波形に基づいて、装身具の装着部分の少なくとも一部の輪郭を造形する（ステップＳ２９）。造形部２１２は、造形した装身具の装着部分を用いて、装身具デザインを示す装身具デザインデータを生成する（ステップＳ３０）。さらに、造形部２１２は、取得部２１１から送信された位置情報、日時情報を、装身具デザインデータに付与し、装身具デザインの一部に日時情報、位置情報が印字されるよう造形する（ステップＳ３１）。  
【０１０３】
識別部２１５は、造形部２１２から送信された装身具デザインデータに識別情報を付与する（ステップＳ３２）。  
【０１０４】
出力部３４０は、識別部２１５から送信された装身具デザインデータ、風景画像データを表示する（ステップＳ３３）。  
【０１０５】
ユーザは、出力部３４０に出力された装身具デザインデータ、風景画像データを確認する（ステップＳ３４）。  
【０１０６】
なお、以上の構成要素の任意の組合せ、本発明の表現を方法、装置、システム、コンピュータプログラム、データ構造、記録媒体などの間で変換したものもまた、本発明の態様として有効である。  
【０１０７】
サーバ装置２００及び端末装置３００の各機能部は、集積回路（ＩＣ（Integrated Circuit）チップ、ＬＳＩ（Large Scale Integration））等に形成された論理回路（ハードウェア）や専用回路によって実現してもよいし、ＣＰＵ（Central Processing Unit）及びメモリを用いてソフトウェアによって実現してもよい。また、各機能部は、１又は複数の集積回路により実現されてよく、複数の機能部の機能を１つの集積回路により実現されることとしてもよい。ＬＳＩは、集積度の違いにより、ＶＬＳＩ、スーパーＬＳＩ、ウルトラＬＳＩなどと呼称されることもある。なお、ここで「回路」は、コンピュータによるデジタル処理、すなわち、ソフトウェアによる機能的処理としての意味合いを含んでもよい。また、当該回路は、再構築可能な回路（例えば、ＦＰＧＡ：Field Programmable Gate Array）により実現されてもよい。  
【０１０８】
サーバ装置２００及び端末装置３００の各機能部をソフトウェアにより実現する場合、サーバ装置２００、端末装置３００は、各機能を実現するソフトウェアである装身具造形プログラムの命令を実行するＣＰＵ、上記装身具造形プログラム及び各種データがコンピュータ（又はＣＰＵ）で読み取り可能に記録されたＲＯＭ（Read Only Memory）又は記憶装置（これらを「記録媒体」と称する）、上記装身具造形プログラムを展開するＲＡＭ（Random Access Memory）などを備えている。そして、コンピュータ（又はＣＰＵ）が上記装身具造形プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記装身具造形プログラムは、当該装身具造形プログラムを伝送可能な任意の伝送媒体（通信ネットワークや放送波等）を介して上記コンピュータに供給されてもよい。本発明は、上記装身具造形プログラムが電子的な伝送によって具現化された、搬送波に埋め込まれたデータ信号の形態でも実現され得る。  
【０１０９】
なお、上記装身具造形プログラムは、例えば、ActionScript、JavaScript（登録商標）、Ruby、Perlなどのスクリプト言語、Objective-C、Java（登録商標）、PHP、Pythonなどのオブジェクト指向プログラミング言語、HTML5などのマークアップ言語などを用いて実装できる。
【符号の説明】
【０１１０】
１００  装身具造形システム  ２００  サーバ装置  ２１０  制御部  ２１１  取得部  ２１２  加工部  ２１３  造形部  ２１４  音声解析部  ２１５  識別部  ２２０  通信部  ２３０  記憶部  ３００  端末装置  ３１０  制御部  ３１０  制御部  ３１１  取得部  ３１２  加工部  ３１３  造形部  ３１４  音声解析部  ３１５  識別部  ３２０  通信部  ３３０  記憶部  ３４０  出力部  ３５０  入力部  ３６０  撮影部  ４００  ネットワーク 
【図１】
2019076257.tif 000003
【図２】
2019076257.tif 000004
【図３】
2019076257.tif 000005
【図４】
2019076257.tif 000006
【図５】
2019076257.tif 000007
【図６】
2019076257.tif 000008
【手続補正書】
【提出日】平成30年9月28日(2018.9.28)
【手続補正１】
【補正対象書類名】特許請求の範囲
【補正対象項目名】全文
【補正方法】変更
【補正の内容】
【特許請求の範囲】
【請求項１】
装身具を造形する装身具造形システムであって、
ユーザが発する音声情報を取得する取得部と、
前記音声情報が示す音声波形を、該音声波形の振幅に所定の幅を持たせるように加工する加工部と、
前記加工部に加工された音声波形に基づいて、前記装身具の装着部分の少なくとも一部の輪郭を造形し、装身具デザインを示す装身具デザインデータを生成する造形部と、
前記装身具デザインデータを表示する表示部と、を備え、
前記装身具造形システムが、前記装身具デザインデータを識別するための識別情報を付与するものであって、
前記ユーザが有する端末装置を介して、前記識別情報を入力することにより、前記識別情報を検索可能とし、前記端末装置に前記音声情報を再生させる
ことを特徴とする
装身具造形システム。
【請求項２】
前記加工部は、前記音声波形を示す座標点を、所定の基準値以上であれば上側制御点と判別し、前記基準値より小さければ下側制御点と判別して、前記上側制御点には所定の振幅値を加算し、下側の制御点には前記所定の振幅値を減算することで、前記音声波形の振幅に所定の幅をもたせるように前記音声波形を加工すること、
を特徴とする請求項１に記載の装身具造形システム。
【請求項３】
前記加工部は、前記加減算された上側制御点及び下側制御点それぞれにおいて、所定の間隔ごとに曲線制御点を抽出し、該抽出された曲線制御点に基づいて、波形が滑らかな曲線となるよう前記音声波形をさらに加工すること
を特徴とする請求項２に記載の装身具造形システム。
【請求項４】
前記装身具デザインデータごとに識別情報を付与する識別部と、
前記ユーザからの前記識別情報の入力を受け付ける入力部と、
前記入力を受け付けた識別情報に基づいて、前記音声情報の音声を出力する音声出力部と、を備えること、
を特徴とする請求項１乃至３のいずれか１項に記載の装身具造形システム。
【請求項５】
装身具を造形する装身具造形プログラムであって、
コンピュータに、
ユーザが発する音声情報を取得する取得機能と、
前記音声情報が示す音声波形を、該音声波形の振幅に所定の幅をもたせるように加工する波形加工機能と、
前記加工部に加工された音声波形に基づいて、前記装身具の装着部分の少なくとも一部の輪郭を造形し、装身具デザインを示す装身具デザインデータを生成する造形機能と、
前記装身具デザインデータを表示する表示機能と、を備え、
前記装身具造形プログラムは、前記装身具デザインデータを識別するための識別情報を付与するものであって、
前記ユーザが有する端末装置を介して、前記識別情報を入力することにより、前記識別情報を検索可能とし、前記端末装置に前記音声情報を再生させる
ことを特徴とする装身具造形プログラム。
【請求項６】
装身具を造形する装身具造形方法であって、
ユーザが発する音声情報を取得し、
前記音声情報が示す音声波形を、該音声波形の振幅に所定の幅をもたせるように加工し、
前記加工された音声波形に基づいて、前記装身具の装着部分の少なくとも一部の輪郭を造形し、装身具デザインを示す装身具デザインデータを生成し、
前記装身具デザインデータを表示し、
前記装身具造形方法は、前記装身具デザインデータを識別するための識別情報を付与するものであって、
前記ユーザが有する端末装置を介して、前記識別情報を入力することにより、前記識別情報を検索可能とし、前記端末装置に前記音声情報を再生させる
ことを特徴とする装身具造形方法。